(57)【要約】【課題】組立の簡便性、操作における安定性を持つヘアクリップを提供する。【解決手段】ヘアクリップは、両挟持体１、２と弾性体３とを備える。両挟持体１、２は、プラスチック材質からなり、下方に屈曲部１１、２１を有し、屈曲部１１、２１の下方に内側に向かって屈曲する櫛歯１２、２２が設けられ、上方に外側に向かって反る把持部１３、２３が設けられる。また、把持部１３、２３の位置に対応するよう両挟持体１、２の内面に枢着部１４、２４が各々設けられて回転可能に取り付けられる。両挟持体１、２の把持部１３、２３の中央に貫通孔１５、２５が設置され、両挟持体１、２の外側の貫通孔１５、２５に対応する下方位置に係止溝１６、２６が設けられる。弾性体３は、弾性を持つプラスチック材質からなる円弧形片体である。弾性体３は、両端部３１、３２を有し、両端部３１、３２の中央に対応する位置に中央部３３が設けられる。【選択図】図１
0003174313.tif 000002
【実用新案登録請求の範囲】
【請求項１】
下方に屈曲部を有し、前記屈曲部の下方に内側に向かって屈曲する櫛歯が設けられ、上方に外側に向かって反る把持部が設けられ、前記把持部の位置に対応する内面に枢着部が各々設けられ、前記把持部の中央に貫通孔が設けられ、前記貫通孔に対応する下方位置に係止溝が設けられる２つの挟持体と、
弾性を持つプラスチック材質からなる円弧形片体であって、両端部を有し、前記両端部の中央に対応する位置に中央部が設けられ、前記両端部を前記２つの挟持体の前記貫通孔にそれぞれ穿通させることで前記２つの挟持体の前記係止溝に係合し、前記２つの挟持体に作動弾力性を供する弾性体と、
を備えることを特徴とするヘアクリップ。
【請求項２】
前記２つの挟持体の前記係止溝の頂部には、前記弾性体の前記両端部の内面にそれぞれ当接する係合辺を有することを特徴とする請求項１に記載のヘアクリップ。
【請求項３】
前記２つの挟持体の前記係止溝と前記貫通孔との間に案内斜板が設けられることを特徴とする請求項２に記載のヘアクリップ。
【請求項４】
前記弾性体の前記中央部の厚さは、前記両端部の厚さを上回ることを特徴とする請求項１〜３のいずれか一項に記載のヘアクリップ。
【請求項５】
前記２つの挟持体のうち一方の前記挟持体の前記枢着部が枢着溝を有し、他方の前記挟持体の前記枢着部が枢支柱を有することで、前記２つの挟持体が可撓性によって前記枢着部の前記枢支柱を前記枢着溝に穿通させて回転可能に取り付けることができることを特徴とする請求項４に記載のヘアクリップ。
【考案の詳細な説明】
【技術分野】
【０００１】
本考案は、ヘアクリップに関し、特に、金属ばねを使わず、また組立の簡便性、操作における安定性を持つヘアクリップに関する。
【背景技術】
【０００２】
従来のヘアクリップは、一般的に２つの挟持体を備える。図６に示すのは、従来のヘアクリップであり、主に対称である両挟持体１’、２’を備える。両挟持体１’、２’の下方に屈曲部１１’、２１’を有し、屈曲部１１’、２１’の下方に内側に向かって屈曲する櫛歯１２’、２２’が設けられる。また、屈曲部１１’、２１’の上方に外側に向かって反る把持部１３’、２３’が設置される。また、把持部１３’、２３’の下方位置に対応して両挟持体１’、２’の内面に枢着部１４’、２４’が設けられ、枢着部１４’、２４’において枢支軸３’及び金属ねじりコイルばねであるばね４’を接合することで、両挟持体１’、２’をばね４’の弾性力により閉じることができる。また手で把持部１３’、２３’を押圧することで両挟持体１’、２’を拡開して頭髪を挟持することができる。
【０００３】
しかしながら、前記構造は、ばねを一定期間使用すると、金属ばね４’の腐食による損壊が生じやすく、エコではなく且つ使用寿命が短いという欠陥を有する。また、組立時に枢支軸３’の穿通が必要とされ、常に工具を使用しなければ組立できないため、組立の不便さという欠陥があった。
【先行技術文献】
【特許文献】
【０００４】
【特許文献１】実用新案登録第３０７０２９７号公報
【考案の概要】
【考案が解決しようとする課題】
【０００５】
そこで、本考案は上記問題を鑑みてなされたものであり、金属ばねを使わず、また組立の簡便性、操作における安定性を持つヘアクリップを提供することを目的とする。
【課題を解決するための手段】
【０００６】
本考案のヘアクリップは、２つの挟持体（以下、「両挟持体」）と弾性体とを備える。両挟持体は、プラスチック材質からなり、下方に屈曲部を有し、屈曲部の下方に内側に向かって屈曲する櫛歯が設けられ、上方に外側に向かって反る把持部が設けられる。また、把持部の位置に対応する両挟持体の内面に枢着部が各々設けられて回転可能に取り付けられる。また両挟持体の把持部の中央に貫通孔が設置され、両挟持体の外側の貫通孔に対応する下方位置に係止溝が設けられる。弾性体は、弾性を持つプラスチック材質からなる円弧形片体である。弾性体は、両端部を有し、両端部の中央に対応する位置に中央部が設けられる。中央部の厚さは、両端部の厚さを上回る。
【０００７】
これにより、本考案では、両挟持体を枢着部から回転可能に組み立てた後、弾性体の両端部を両挟持体の貫通孔にそれぞれ穿通させることで組み立てることができ、好ましい組立の簡便性を持つことができる。
また本考案では、両挟持体の把持部を押圧すると、両挟持体を拡開させることができる。両挟持体で頭髪を挟持した後、把持部から手を離すと、弾性体の復元力により両端部が対応する挟持体に付勢されて閉合して頭髪を挟持することができる。
本考案では、弾性体の中央部の厚さが両端部の厚さを上回るため、弾性体が拡開された時、中央部が好ましい復元弾性を保持できる。
【０００８】
また、本考案のヘアクリップは、長時間操作時に弾性疲労現象が生じることなく、好ましい使用寿命を持つことができる。且つ本考案のヘアクリップは、金属ばねが設置されていないため、金属ばねの腐食により損壊することを防止できる。
また、本考案の両挟持体及び弾性体は、いずれもプラスチック材質で、好ましい組立の全体的な質感を有し、リサイクル可能で、エコ効果を持ち、また本考案は工具を必要とせず、容易に組み立てることができるため、好ましい組立の簡便性を持つことができる。
【図面の簡単な説明】
【０００９】
【図１】本考案の一実施形態によるヘアクリップの分解斜視図である。
【図２】本考案の一実施形態によるヘアクリップの分解斜視図である。
【図３】本考案の一実施形態によるヘアクリップの斜視図である。
【図４】本考案の一実施形態によるヘアクリップの両挟持体を閉じた状態を示す断面図である。
【図５】本考案の一実施形態によるヘアクリップの両挟持体を開いた状態を示す断面図である。
【図６】従来のヘアクリップを示す斜視図である。
【考案を実施するための形態】
【００１０】
以下、本考案の実施の形態を図面に基づいて説明する。
（一実施形態）
本考案の一実施形態によるヘアクリップを図１〜図４を参照しながら説明する。本実施形態のヘアクリップは、両挟持体１、２と、弾性体３とを含む。両挟持体１、２は、プラスチック材質からなり、略対称形となる。また、両挟持体１、２は、下方に屈曲部１１、２１を備える。屈曲部１１、２１の下方には、内側に向かって屈曲する櫛歯１２、２２が設けられる。屈曲部１１、２１の上方には、外側に向かって反る把持部１３、２３が設置され、把持部１３、２３の位置に対応するように、両挟持体１、２の内面に枢着部１４、２４がそれぞれ設置される。一方の挟持体１の枢着部１４は枢着溝１４１を備え、他方の挟持体２の枢着部２４は枢支柱２４１を備える。
【００１１】
これにより、両挟持体１、２は、可撓性により枢支柱２４１を枢着溝１４１に穿通して回転可能に取り付けることができる。また両挟持体１、２の把持部１３、２３の中央には、貫通孔１５、２５が設置される。また、両挟持体１、２の外側の貫通孔１５、２５に対応する下方位置には、係止溝１６、２６が設けられる。係止溝１６、２６の頂部は、係合辺１６１、２６１を有する。また、係止溝１６、２６と貫通孔１５、２５の底縁との間には、案内斜板１７、２７が設置される。両挟持体１、２の内面には、当接部１８、２８が凸設される。
【００１２】
弾性体３は、弾性を持つプラスチック材質からなる円弧形片体で、幅が貫通孔１５、２５の幅より略小さい。弾性体３は、両端部３１、３２を備える。また両端部３１、３２の中央に対応する位置に中央部３３が設けられる。図４に示すように、中央部３３の厚さａは、両端部３１、３２の厚さｂを上回る。
【００１３】
図２〜図４を参照しながら説明する。本実施形態では、両挟持体１、２を枢着部１４、２４から回転可能に組み立てた後、弾性体３の両端部３１、３２を両挟持体１の貫通孔１５、２５にそれぞれ穿通させる。また力を加えることによって弾性体３の両端部３１、３２を両挟持体１、２の係止溝１６、２６に係合させ、同時に両端部３１、３２の内面が係止溝１６、２６の係合辺１６１、２６１に当接して係合できるため脱落しない。両挟持体１、２の案内斜板１７、２７は、組立時において、弾性体３の両端部３１、３２が案内斜板１７、２７に沿ってそれぞれ移動拡張してから可撓的に閉じ合わせて係止溝１６、２６内に嵌め込まれることにより、好ましい組立の簡便性を持つことができる。また組立後、両挟持体１、２は、弾性体３の弾性力により櫛歯１２、２２が閉じ合わせた状態になり、両挟持体１、２の内面にある当接部１８、２８が相互当接することで、閉じ合わせたとき、両挟持体１、２の櫛歯１２、２２の間隔を固定することができる。
【００１４】
図５を参照しながら説明する。本実施形態では、矢印Ｙで示すように、両挟持体１、２の把持部１３、２３を押圧すると、両挟持体１、２を開くことができる。そこで弾性体３の両端部３１、３２の間隔は、対応して増大できて開いた状態になる。また、両挟持体１、２で図示しない頭髪を挟持した後、把持部１３、２３から手を離すと、弾性体３の復元力により両端部３１、３２が対応する挟持体１、２に付勢されて閉じ合わせて頭髪を挟持することができる。
【００１５】
本実施形態では、弾性体３の中央部３３の厚さが両端部３１、３２の厚さを上回るため、弾性体３が開いたとき、中央部３３が好ましい復元弾性を保持できる。また、本実施形態のヘアクリップを長時間操作時に弾性疲労現象が生じることなく、好ましい使用寿命を持つことができる。且つ本実施形態は、金属ばねが設置されていないため、ヘアクリップが金属ばねの腐食により損壊することを防止できる。
また本実施形態の両挟持体１、２及び弾性体３は、いずれもプラスチック材質で、好ましい組立の全体的な質感を有し、リサイクル可能で、エコ効果を持つ。また本実施形態は、工具を必要とせず、容易に組み立てることができるため、好ましい組立の簡便性を持つことができる。
【００１６】
よって、上記考案の詳細な説明の項においてなされものから本考案は、従来のヘアクリップより好適な効果を有することは明らかであるが、上記図示の例にのみに限定して狭義に解釈されるべきものではなく、本考案の精神に基づいて種々の改良変更をなし得ることは、本考案の範囲内に含めるものであるのが勿論である。
【符号の説明】
【００１７】
１・・・・挟持体
１１・・・・屈曲部
１２・・・・櫛歯
１３・・・・把持部
１４・・・・枢着部
１４１・・・枢着溝
１５・・・・貫通孔
１６・・・・係止溝
１６１・・・係合辺
１７・・・・案内斜板
１８・・・・当接部
２・・・・・挟持体
２１・・・・屈曲部
２２・・・・櫛歯
２３・・・・把持部
２４・・・・枢着部
２４１・・・枢着溝
２５・・・・貫通孔
２６・・・・係止溝
２６１・・・係合辺
２７・・・・案内斜板
２８・・・・当接部
３・・・・・弾性体
３１・・・・端部
３２・・・・端部
３３・・・・中央部
１’・・・・挟持体
１１’・・・屈曲部
１２’・・・櫛歯
１３’・・・把持部
１４’・・・枢着部
２’・・・・挟持体
２１’・・・屈曲部
２２’・・・櫛歯
２３’・・・把持部
２４’・・・枢着部
３’・・・・枢支軸
４’・・・・ばね
【図１】
0003174313.tif 000003
【図２】
0003174313.tif 000004
【図３】
0003174313.tif 000005
【図４】
0003174313.tif 000006
【図５】
0003174313.tif 000007
【図６】
0003174313.tif 000008